(57)【要約】【課題】光源及び被写体色による焦点検出ずれの補正を可能とした撮像装置、制御方法、及びプログラムを提供する。【解決手段】撮像装置は、撮影レンズ２０１、焦点検出回路１０５、撮影レンズ２０１を透過した光束の特定波長域を測光する第１の光電変換部と特定波長域とは異なる波長域を測光する第２の光電変換部を有する測光回路１０７、システムコントローラ１２０を備える。システムコントローラ１２０は、第１の光電変換部の出力と第２の光電変換部の出力との比であるＲ／Ｗ比と、ホワイトバランスの設定と、撮影レンズ２０１の色収差情報を基に、デフォーカス量を補正する。【選択図】図９
2014137449.tif 000002
【特許請求の範囲】
【請求項１】
撮影レンズを透過した光束を基にデフォーカス量を検出する焦点検出手段と、
前記撮影レンズを透過した光束の特定波長域を測光する第１の測光手段と、
前記撮影レンズを透過した光束の前記特定波長域とは異なる波長域を測光する第２の測光手段と、
ホワイトバランスを設定する設定手段と、
前記第１の測光手段の出力と前記第２の測光手段の出力との比である出力比と、前記設定手段によるホワイトバランスの設定と、前記撮影レンズの色収差情報を基に、前記焦点検出手段により検出されるデフォーカス量を補正する補正手段と、
を備えることを特徴とする撮像装置。
【請求項２】
前記補正手段は、前記第１の測光手段と前記第２の測光手段の出力比と、前記撮影レンズの色収差情報を基に、線形補間法を用いてデフォーカス補正量を算出し、算出された前記デフォーカス補正量に従って前記デフォーカス量を補正することを特徴とする請求項１に記載の撮像装置。
【請求項３】
前記設定手段は、撮影画像からホワイトバランスデータを自動的に抽出するオートモードと、光源の種類あるいは光源の色温度を指定することでホワイトバランスを設定するマニュアル設定モードとを有することを特徴とする請求項１に記載の撮像装置。
【請求項４】
前記補正手段は、前記設定手段により光源の種類あるいは光源の色温度が指定された場合、前記線形補間法による補正直線の傾き及び切片を、前記指定された光源の種類あるいは光源の色温度に従って選択することを特徴とする請求項２又は請求項３に記載の撮像装置。
【請求項５】
前記第１の測光手段と前記第２の測光手段は、同一の半導体基板に形成されると共に該半導体基板の厚さ方向において少なくとも一部が重なる状態に形成されており、
前記第１の測光手段は、前記半導体基板に形成されたＰＮ接合部から光を吸収すると共に可視光領域に主感度を有する第１の受光手段を備え、
前記第２の測光手段は、前記半導体基板における前記第１の測光手段とは厚さ方向で異なる深さに形成されたＰＮ接合部から前記第１の測光手段とは異なる波長域の光を吸収すると共に赤外光領域に主感度を有する第２の受光手段を備えることを特徴とする請求項１に記載の撮像装置。
【請求項６】
撮像装置の制御方法であって、
撮影レンズを透過した光束を基にデフォーカス量を検出する焦点検出工程と、
前記撮影レンズを透過した光束の特定波長域を測光する第１の測光工程と、
前記撮影レンズを透過した光束の前記特定波長域とは異なる波長域を測光する第２の測光工程と、
ホワイトバランスを設定する設定工程と、
前記第１の測光工程の出力と前記第２の測光工程の出力との比である出力比と、前記設定工程によるホワイトバランスの設定と、前記撮影レンズの色収差情報を基に、前記焦点検出工程により検出されるデフォーカス量を補正する補正工程と、
を有することを特徴とする制御方法。
【請求項７】
請求項６に記載の制御方法をコンピュータに実行させるためのコンピュータ可読のプログラム。
【発明の詳細な説明】
【技術分野】
【０００１】
本発明は、ＴＴＬ（Through The Lenz）位相差検出方式のオートフォーカス（ＡＦ：Auto Focus）を行う撮像装置に関し、特に光源検出等に用いられる測色機能を有する撮像装置、制御方法、及びプログラムに関する。
【背景技術】
【０００２】
従来、ＴＴＬ位相差検出方式では、撮像レンズの通過光により形成される一対の像をイメージセンサ等の焦点検出用受光素子で光電変換し、一対の像のずれ量（位相差）を基に撮像レンズのデフォーカス量（受光面が結像面から光軸方向にずれている量）を求める。焦点検出用受光素子の多くはＰ−Ｎ接合型フォトダイオードにより構成されており、その感度は可視波長域から近赤外波長域まで広がっている。その理由は、暗い被写体に対して焦点検出を行う場合に被写体に照射される補助光として近赤外波長域の光が用いられるためである。
【０００３】
一方、一般に撮像レンズは可視波長域において色収差が少なくなるように設計されるが、近赤外光領域では色収差が良好に補正されていない場合が多い。このため、被写体が太陽光で照明されている場合と、タングステンランプ等の色温度の低い光源で照明されている場合と、蛍光灯等の色温度の高い光源で照明されている場合とでは、可視光に対する近赤外光の相対的な割合が異なるため、焦点検出結果が異なる。つまり、同じ距離の被写体であっても、光源の種類によって焦点検出結果が異なり、良好なフォーカス制御を行うことができない。
【０００４】
このような問題を解消するため、光源の種類を検出（判別）し、その検出結果に基づいて焦点検出結果を補正する必要がある。
【０００５】
光源種類の検出結果から焦点検出結果を補正する技術としては以下の技術が提案されている（例えば、特許文献１参照）。特許文献１には、光源検出用のセンサとカメラでプリセットされるホワイトバランス設定の設定状態に応じて光源の種類を特定し、ピント補正を行うことが開示されている。
【先行技術文献】
【特許文献】
【０００６】
【特許文献１】特開２００５−１６５１８６号公報
【発明の概要】
【発明が解決しようとする課題】
【０００７】
しかしながら、特許文献１に記載の技術は、ホワイトバランスの設定状態及び光源検出センサの出力から、撮影時の光源が複数種類の光源のうちいずれであるかを特定し、特定された光源の種類に応じて一律に焦点検出結果の補正を行うものである。そのため、光源に重畳される被写体色による焦点検出のずれは考慮されていない。
【０００８】
本発明の目的は、光源及び被写体色による焦点検出ずれの補正を可能とした撮像装置、制御方法、及びプログラムを提供することにある。
【課題を解決するための手段】
【０００９】
上記目的を達成するため、本発明は、撮影レンズを透過した光束を基にデフォーカス量を検出する焦点検出手段と、前記撮影レンズを透過した光束の特定波長域を測光する第１の測光手段と、前記撮影レンズを透過した光束の前記特定波長域とは異なる波長域を測光する第２の測光手段と、ホワイトバランスを設定する設定手段と、前記第１の測光手段の出力と前記第２の測光手段の出力との比である出力比と、前記設定手段によるホワイトバランスの設定と、前記撮影レンズの色収差情報を基に、前記焦点検出手段により検出されるデフォーカス量を補正する補正手段と、を備えることを特徴とする。
【発明の効果】
【００１０】
本発明によれば、第１の測光手段と第２の測光手段の出力比とホワイトバランスの設定と撮影レンズの色収差情報を基にデフォーカス量を補正する。これにより、光源及び被写体色による焦点検出ずれの補正を可能とした撮像装置を提供することができる。
【図面の簡単な説明】
【００１１】
【図１】本発明の第１の実施形態に係る撮像装置としてのデジタルカメラと交換式の撮影レンズからなるカメラシステムの電気的構成を示すブロック図である。
【図２】デジタルカメラの測距、測光配置の一例を示す図であり、（ａ）は、撮像画面内での焦点検出領域の配置を示す図、（ｂ）は、撮像画面内での測光領域の配置を示す図、（ｃ）は、焦点検出領域と測光領域とを重ね合わせた図である。
【図３】測光回路内のセンサの縦断面構造の一例を示す図である。
【図４】測光回路内のセンサ及び各種光源の分光感度特性を示す図であり、（ａ）は、センサ単独での分光感度特性を示す図、（ｂ）は、測定系全系の分光感度特性を示す図、（ｃ）は、各種光源の分光感度特性を示す図である。
【図５】各種光源下でのピントずれ量を示す図である。
【図６】光源の種類と光源の色温度の関係を示す図である。
【図７】焦点検出動作を示すフローチャートである。
【図８】図７の測距動作の詳細を示すフローチャートである。
【図９】図７の光源検出動作の詳細を示すフローチャートである。
【図１０】図７のレンズ駆動量算出の詳細を示すフローチャートである。
【図１１】本発明の第２の実施形態に係る光源検出動作を示すフローチャートである。
【発明を実施するための形態】
【００１２】
以下、本発明の実施形態を図面を参照しながら詳細に説明する。
【００１３】
〔第１の実施形態〕
図１は、本発明の第１の実施形態に係る撮像装置としてのデジタルカメラと交換式の撮影レンズからなるカメラシステムの電気的構成を示すブロック図である。
【００１４】
図１において、本実施形態のカメラシステムは、一眼レフレックスカメラであるデジタルカメラ１００、撮影レンズユニット２００、ストロボ装置３００から構成されている。デジタルカメラ１００（撮像装置）は、ペンタプリズム１０１、クイックリターンミラー１０２、サブミラー１０３、ＡＦセンサユニット１０４、焦点検出回路１０５、測光回路１０７、システムコントローラ１２０等を備えている。撮影レンズユニット２００は、撮影レンズ２０１、絞り２０２等を備えている。なお、図１の構成のうち本発明の主旨に直接関係しない構成については説明を簡略化または省略する。
【００１５】
デジタルカメラ１００には、撮影レンズユニット２００がマウント機構（不図示）を介し着脱可能に取り付けられる。マウント部の電気的な接点群２１０は、デジタルカメラ１００と撮影レンズユニット２００との間で制御信号、状態信号、データ信号等を伝え合う。また、接点群２１０は、各種電圧の電流を供給する機能、撮影レンズユニット２００の接続に伴いシステムコントローラ１２０へ信号を送信する機能も有する。これにより、デジタルカメラ１００と撮影レンズユニット２００の間で通信を行い、撮影レンズユニット内の撮影レンズ２０１、絞り２０２の駆動が可能となる。
【００１６】
なお、接点群２１０は、電気通信のみならず、光通信、音声通信等を伝達する構成としてもよい。また、本実施の形態では撮影レンズユニット２００が備えるレンズを便宜上１枚の撮影レンズ２０１で示しているが、実際は更に多数のレンズから構成されていることは周知の通りである。
【００１７】
デジタルカメラによる撮影時には被写体像からの撮影光束が、撮影レンズ２０１及び絞り２０２を介して、矢印方向に駆動可能なクイックリターンミラー１０２に導かれる。クイックリターンミラー１０２の中央部はハーフミラーになっており、クイックリターンミラー１０２がダウンした際に一部の光束が透過する。透過した光束は、クイックリターンミラー１０２に付設されたサブミラー１０３により下方に向けて反射される。
【００１８】
ＡＦセンサユニット１０４は、結像面近傍に配置されたフィールドレンズ、反射ミラー、２次結像レンズ、絞り、及び、複数のＣＣＤから成るラインセンサ（以上不図示）等から構成され、周知の位相差検出方式で動作する。焦点検出回路１０５は、システムコントローラ１２０からの制御信号に基づきＡＦセンサユニット１０４を制御し、周知の位相差検出方式により焦点検出を行う。また、焦点検出回路１０５は、撮影レンズ２０１を透過した光束を基にデフォーカス量を検出する。なお、ＡＦセンサユニット１０４と焦点検出回路１０５と画像データコントローラ１１５とシステムコントローラ１２０とから焦点検出手段を構成している。
【００１９】
一方、クイックリターンミラー１０２で反射された撮影光束は、ペンタプリズム１０１、接眼レンズ１０６を介して撮影者の目に至る。また、測光回路１０７は、被写体の輝度を測定するセンサを備えている。測光回路１０７内のセンサは、接眼レンズ１０６の近傍に配設されており、センサ出力は測光回路１０７を経てシステムコントローラ１２０へ供給される。
【００２０】
また、クイックリターンミラー１０２がアップした際には、撮影レンズ２０１からの光束は、機械シャッタであるフォーカルプレーンシャッタ１０８、フィルタ１０９を介してＣＭＯＳ等に代表されるイメージセンサ１１２に至る。
【００２１】
フィルタ１０９は、赤外線をカットし可視光線のみをイメージセンサ１１２へ導く機能と、光学ローパスフィルタとしての機能を有する。また、フォーカルプレーンシャッタ１０８は、先幕及び後幕を有し、撮影レンズ２０１からの光束の透過／遮断を制御する。なお、クイックリターンミラー１０２のアップ時には、サブミラー１０３は折り畳まれる。
【００２２】
システムコントローラ１２０は、デジタルカメラ全体の制御を司るＣＰＵにより構成され、後述の各部の動作を適宜制御し、制御プログラムに基づき後述の図７乃至図１１のフローチャートに示す処理を実行する。システムコントローラ１２０には、撮影レンズユニット２００のレンズ制御回路２０４と絞り制御回路２０６がレンズ制御マイクロコンピュータ（以下マイコン）２０７を介して接続されている。レンズ制御回路２０４は、撮影レンズ２０１を光軸方向に移動してピント合わせを行うレンズ駆動機構２０３を制御する。絞り制御回路２０６は、絞り２０２を駆動する絞り駆動機構２０５を制御する。
【００２３】
また、システムコントローラ１２０には、クイックリターンミラー１０２のアップ／ダウンの駆動及びフォーカルプレーンシャッタ１０８のシャッタチャージを制御するシャッタチャージ・ミラー駆動機構１１０が接続されている。また、システムコントローラ１２０には、フォーカルプレーンシャッタ１０８の先幕及び後幕の走行を制御するシャッタ制御回路１１１が接続されている。更に、システムコントローラ１２０には、デジタルカメラの制御上で調整が必要なパラメータ、デジタルカメラの個体識別が可能なカメラＩＤ情報、ＡＦ補正データ、自動露出補正値等が記憶されているＥＥＰＲＯＭ１２２が接続されている。
【００２４】
レンズ制御マイコン２０７は、レンズ固有の情報（例えば焦点距離、開放絞り、レンズ個々に割り振られるレンズＩＤという情報）、システムコントローラ１２０から受け取った情報を記憶するレンズ記憶部も有する。
【００２５】
また、システムコントローラ１２０は、レンズ制御マイコン２０７を介してレンズ駆動機構２０３を制御することにより、被写体像をイメージセンサ１１２上に結像する。また、システムコントローラ１２０は、設定されたＡｖ（Aperture Value）値に基づき絞り駆動機構２０５を制御し、更に、設定されたＴｖ（Time Value）値に基づきシャッタ制御回路１１１へ制御信号を出力することで露出制御を行う。
【００２６】
フォーカルプレーンシャッタ１０８の先幕及び後幕は、駆動源がバネにより構成され、シャッタ走行後次の動作のためにバネチャージを要する。シャッタチャージ・ミラー駆動機構１１０は、バネチャージの制御と、クイックリターンミラー１０２のアップ／ダウンを行う。
【００２７】
また、システムコントローラ１２０には、画像データコントローラ１１５が接続されている。画像データコントローラ１１５は、ＤＳＰ（デジタル信号プロセッサ）により構成され、イメージセンサ１１２の制御、イメージセンサ１１２から入力された画像データの補正や加工等をシステムコントローラ１２０の指令に基づいて実行する。画像データの補正・加工の項目の中には、オートホワイトバランス（撮影画像中の最大輝度の部分を所定の色（白色）に補正する機能）も含まれる。オートホワイトバランスは、システムコントローラ１２０からの命令により補正量を変更可能である。
【００２８】
画像データコントローラ１１５により画像信号を領域分割し、それぞれの領域でベイヤ画素毎に積分した値をシステムコントローラ１２０に供給し、システムコントローラ１２０により積分信号を評価することで測光を行う。
【００２９】
画像データコントローラ１１５には、タイミングパルス発生回路１１４、Ａ／Ｄコンバータ１１３、ＤＲＡＭ１２１、Ｄ／Ａコンバータ１１６、画像圧縮回路１１９、コントラスト検出回路１４０が接続されている。タイミングパルス発生回路１１４は、イメージセンサ１１２を駆動する際に必要なパルス信号を出力する。
【００３０】
Ａ／Ｄコンバータ１１３は、イメージセンサ１１２と共にタイミングパルス発生回路１１４で発生されたタイミングパルスを受けて、イメージセンサ１１２から出力される被写体像に対応したアナログ信号をデジタル信号に変換する。ＤＲＡＭ１２１は、加工や所定のフォーマットへのデータ変換が行われる前の画像データ（デジタルデータ）を一時的に記憶する。
【００３１】
画像圧縮回路１１９には、画像データ記録メディア４０１が接続される。画像圧縮回路１１９は、ハードディスク、フラッシュメモリ、フロッピー(登録商標)ディスク等が使用され、ＤＲＡＭ１２１に記憶された画像データの圧縮や変換（例えばＪＰＥＧ）を行う。変換された画像データは、画像データ記録メディア４０１へ格納される。
【００３２】
また、Ｄ／Ａコンバータ１１６には、エンコーダ回路１１７を介して画像表示回路１１８が接続される。画像表示回路１１８は、イメージセンサ１１２で撮像された画像データを表示する回路であり、一般にはカラーの液晶表示素子により構成される。
【００３３】
画像データコントローラ１１５は、ＤＲＡＭ１２１上の画像データをＤ／Ａコンバータ１１６によりアナログ信号に変換してエンコーダ回路１１７へ出力する。エンコーダ回路１１７は、Ｄ／Ａコンバータ１１６の出力を、画像表示回路１１８を駆動する際に必要な映像信号（例えばＮＴＳＣ信号）に変換する。
【００３４】
画像データコントローラ１１５は、補正した画像データに対し、所定の周波数特性を持つフィルタを通し、所定のガンマ処理を行って得られる画像信号の所定方向のコントラストを評価する。その結果はシステムコントローラ１２０に供給される。システムコントローラ１２０は、レンズ制御回路２０４と通信を行い、焦点位置を調節しコントラスト評価値が所定レベルよりも高くなるように焦点位置を調節する。
【００３５】
また、システムコントローラ１２０には、動作表示回路１２３、撮影モード選択ボタン１３０、メイン電子ダイヤル１３１、決定スイッチ（以下ＳＷ）１３２、測距点選択ボタン１３３、ＡＦモード選択ボタン１３４が接続されている。更に、システムコントローラ１２０には、測光モード選択ボタン１３５、レリーズＳＷ１・１３６、レリーズＳＷ２・１３７、ファインダモード選択ＳＷ１３８が接続されている。
【００３６】
動作表示回路１２３は、デジタルカメラの動作モードの情報や露出情報（シャッタ秒時、絞り値等）等を外部液晶表示装置１２４や内部液晶表示装置１２５に表示させる。撮影モード選択ボタン１３０は、使用者が所望の動作をデジタルカメラに実行させるべくモードを設定する際に操作する。測距点選択ボタン１３３は、ＡＦセンサユニット１０４が持つ複数の焦点検出位置から使用する焦点検出位置を選択する際に操作する。レリーズＳＷ１・１３６は、測光・測距等の撮影準備動作を開始させる際に操作する。レリーズＳＷ２・１３７は、撮像動作を開始させる際に操作する。
【００３７】
ファインダモード選択ＳＷ１３８は、接眼レンズ１０６を通過する光束を確認可能な光学ファインダモードと、イメージセンサ１１２で受光した象信号を逐次、画像表示回路１１８に表示するライブビュー表示モードとを切り替える際に操作する。
【００３８】
また、デジタルカメラ１００には、ストロボ装置３００がマウント機構（不図示）を介し着脱可能に取り付けられる。マウント部の電気的な接点群３１０は、発光タイミングを制御する発光端子を備え、デジタルカメラ１００とストロボ装置３００との間で制御信号、状態信号、データ信号等を伝え合うと共に、信号送信機能も有する。ストロボ装置３００は、Ｘｅ（キセノン）管３０１、反射笠３０２、発光制御回路３０３、充電回路３０４、電源３０５、ストロボ制御マイコン３０６を備えている。
【００３９】
図２は、デジタルカメラの測距、測光配置の一例を示す図であり、図２（ａ）は、撮像画面内での焦点検出領域の配置を示す図、図２（ｂ）は、撮像画面内での測光領域の配置を示す図、図２（ｃ）は、焦点検出領域と測光領域とを重ね合わせた図である。
【００４０】
図２（ａ）において、２５１は撮像画面を示す。２５２は複数（本実施形態では２１個）の焦点検出領域を示している。図２（ａ）では、２１個の焦点検出領域に対して、Ａ１からＡ２１までの番号を付している。なお、焦点検出領域の数や配置は図示のものに限定されるものではない。
【００４１】
図２（ｂ）において、撮像画面２５１内での測光領域の配置を示している。２５３は複数（本実施形態では６３個）の測光領域を示している。図２（ｂ）では、６３個の測光領域に対して、Ｂｍｎ（ｍ＝０、１、２…６、ｎ＝０、１、２…８  ｍ：列番号、ｎ：行番号）の番号を付している。なお、測光領域の数や配置は図示のものに限定されるものではない。
【００４２】
図２（ｃ）において、撮像画面２５１の中央を含むほぼ円形の領域（第１の領域）に２１個の焦点検出領域２５２と２１個の測光領域２５３が互いに重なり合う（一致する）ように配置されている。該中央領域とその周辺の領域（第２の領域）に４２個の測光領域２５３が配置されている。なお、焦点検出領域２５２と測光領域２５３との間には、図示の中央領域に示すような完全な一致関係がなくてもよく、少なくとも一部が重なっていればよい。
【００４３】
図３は、測光回路内のセンサの縦断面構造の一例を示す図である。
【００４４】
図３において、測光回路１０７内のセンサの構造の一例としてＢ００画素の縦断面構造を示している。Ｂ００画素以外の画素も同一の構造を有する。３０１は、ｐ型の半導体基板（以下ｐ基板）である。３０２及び３０２は、ｐ基板３０１との電気的な接続及び隣接する画素を分離するために形成されたｐ型領域（以下ｃｎ領域）である。ｃｎ領域３０２及び３０４からは電極が引き出され、ｐ基板３０１をＧＮＤ（グランド）に接続することで電気的に画素分離が行われる。
【００４５】
３０４は、ｐ基板３０１上に形成されたｎ型のエピタキシャル層（以下ｎＥｐｉ）である。３０５は、ｎＥｐｉ３０４の内側に形成されたｐ型のｗｅｌｌ（以下ｐ−ｗｅｌｌ）である。３０６は、ｐ−ｗｅｌｌ３０５の内側に形成されたｎ型領域（以下ｎ領域）である。
【００４６】
３０７は、ｎＥｐｉ３０４及びｐ―ｗｅｌｌ３０５により構成される第２の光電変換部（フォトダイオード）のＰＮ接合部に流れる光電流Ｉｒ＿００を示す。Ｉｒ＿００は、Ｂ００画素からの光電流Ｉｗを意味する。第２の光電変換部は、赤領域から赤外光領域にかけて分光感度ピークを有する。
【００４７】
３０８は、ｐ−ｗｅｌｌ３０５及びｎ領域３０６により構成される第１の光電変換部（フォトダイオード）のＰＮ接合部に流れる光電流Ｉｗ＿００を示す。Ｉｗ＿００は、Ｂ００画素からの光電流Ｉｗを意味する。第１の光電変換部は、可視光領域に分光感度ピークを有する。
【００４８】
このように、第１の光電変換部と第２の光電変換部は、互いに異なる分光感度特性を有し、撮影レンズ２０１からの光が入射してくる方向（測光回路１０７内のセンサの厚み（深さ）方向）において互いに重なる縦構造を有する。また、別の言い方をすれば、第１の光電変換部と第２の光電変換部は、同一の半導体基板に形成されると共に該半導体基板の厚さ方向において重なる状態に形成されている。
【００４９】
なお、図３に示すセンサ構造は一例であり、本発明の実施形態としては、互いに異なる分光感度特性を有する第１及び第２の光電変換部が、撮影レンズ２０１からの光が入射してくる方向において互いに少なくとも一部が重なる縦構造を有すればよい。つまり、第１の光電変換部と第２の光電変換部が光の入射面内方向において多少ずれていてもよい。また、互いに異なる分光感度特性を有する光電変換部の数は、２つに限定されるものではない。
【００５０】
光電流Ｉｗ＿００及びＩｒ＿００は、測光回路１０７内の電気回路にて対数圧縮されて電圧Ｖｗ＿００（第１の出力又は第１の信号）及びＶｒ＿００（第２の出力又は第２の信号）に変換され、システムコントローラ１２０に出力される。Ｖｗ＿００及びＶｒ＿００は、Ｂ００画素からの光電流Ｉｗ及びＩｒにそれぞれ対応する出力電圧Ｖｗ及びＶｒを意味する。
【００５１】
図４は、測光回路内のセンサ及び各種光源の分光感度特性を示す図であり、図４（ａ）は、センサ単独での分光感度特性を示す図、図４（ｂ）は、測定系全系の分光感度特性を示す図、図４（ｃ）は、各種光源の分光感度特性を示す図である。
【００５２】
図４（ａ）において、４０１は、ＡＦセンサユニット１０４内に配置され不要な赤外光をカットするＩＲカットフィルタの分光感度を示している。赤外のカット波長は、７００ｎｍよりも少し長い波長に設定され、補助光に用いられる近赤外波長を透過するように構成される。４０２は、図３の測光回路１０７内のセンサのうち、ｐ−ｗｅｌｌ３０５及びｎ領域３０６のＰＮ接合により構成されて光電流Ｉｗ＿００を出力する第１の光電変換部の分光感度特性を示している。第１の光電変換部は、５００ｎｍ付近の波長に対してピーク感度（主感度）を有する。
【００５３】
なお、第１の光電変換部のピーク感度波長は５００ｎｍ付近に限定されず、もう少し短波長側または長波長側の波長であってもよい。ただし、人間の目の分光感度特性いわゆる比視感度は、明視野では５５５ｎｍにピークがあるとされているため、５５５ｎｍ付近がピーク感度波長であることが望ましい。
【００５４】
４０３は、図３の測光回路１０７内のセンサのうち、ｎＥｐｉ３０４及びｐ−ｗｅｌｌ３０５のＰＮ接合により構成されて光電流Ｉｒ＿００を出力する第２の光電変換部の分光感度特性を示している。第２の光電変換部は、７５０ｎｍ付近の波長に対してピーク感度（主感度）を有する。
【００５５】
なお、第２の光電変換部のピーク感度波長は７５０ｎｍ付近に限定されず、もう少し短波長側又は長波長側の波長であってもよい。ただし、焦点検出時に用いられる補助光の波長付近に充分な感度を有することが望ましい。
【００５６】
第１の光電変換部は、撮影レンズ２０１を透過した光束の特定波長域を測光する第１の測光手段に相当し、第２の光電変換部は、撮影レンズ２０１を透過した光束の前記特定波長域とは異なる波長域を測光する第２の測光手段に相当する。
【００５７】
また、第１の光電変換部は、図３の半導体基板に形成されたＰＮ接合部から光を吸収すると共に可視光領域に主感度を有する受光部（第１の受光手段）を備える。受光部（第１の受光手段）は、ｐ−ｗｅｌｌ３０５及びｎ領域３０６の境界に相当する。また、第２の光電変換部は、図３の半導体基板における第１の光電変換部とは厚さ方向で異なる深さに形成されたＰＮ接合部から第１の光電変換部とは異なる波長領域の光を吸収すると共に赤外光領域に主感度を有する受光部（第２の受光手段）を備える。受光部（第２の受光手段）は、ｎＥｐｉ３０４及びｐ―ｗｅｌｌ３０５の境界に相当する。
【００５８】
図４（ｂ）において、４０４は、図４（ａ）に示した第１の光電変換部（３０５、３０６）の分光感度特性４０２にＩＲカットフィルタ４０１の分光透過率特性を組み合わせた場合の分光感度特性を示している。
【００５９】
４０５は、図４（ａ）に示した第２の光電変換部（３０４、３０５）の分光感度特性４０３にＩＲカットフィルタ４０１の分光透過率特性を組み合わせた場合の分光感度特性を示している。ＩＲカットフィルタにより、分光感度特性では、補助光の波長である７００ｎｍ付近にピーク感度を有する。
【００６０】
図４（ｃ）において、被写体を照明する各種光源としては、昼光、蛍光灯、タングステンランプ（白熱灯等）の３種類がある。４０６〜４０８は、それぞれ、昼光、蛍光灯、タングステンランプの分光感度を示している。昼光は、４００ｎｍから７００ｎｍをこえる赤外成分までが広範囲に均等に含まれている。蛍光灯は、４００ｎｍから７００ｎｍまでの可視光成分までが含まれ、それ以上の赤外成分はほとんど含まれない。また、タングステンランプは、８００ｎｍ付近が頂点として波長が短くなるに従って含まれる成分の割合が少なくなるような特性がある。
【００６１】
図５は、各種光源下でのピントずれ量を示す図である。
【００６２】
図５において、４０４及び４０５のような分光感度特性を有する測光回路１０７内のセンサを用いて、図４（ｃ）の分光感度特性を有する各種光源の下で各種の被写体を測光した場合のセンサの出力と撮影レンズのピントずれ量（デフォーカス量）の関係を示している。横軸はセンサから出力されるＶｒとＶｗの比であるＲ／Ｗ比（第１の測光手段と第２の測光手段の出力比）を表し、縦軸はそのときの撮影レンズのピントずれ量を表している。横軸の０位置は、焦点検出系の調整工程時のＲ／Ｗ比を基準としてプロットしている。
焦点検出系の調整工程では、昼光相当の分光感度特性を有する光源を用いて、無彩色のチャートを使って調整が行われる。従って、Ｒ／Ｗ比が大きくなると赤成分の多い被写体とみなせ、Ｒ／Ｗ比が小さくなると青成分の多い被写体とみなせる。縦軸のピントずれ量は、調整光源下の無彩色のチャートでジャストピントになるように調整される。
【００６３】
５０１は蛍光灯下、５０２は昼光下、５０３はタングステンランプ下での光源検出Ｒ／Ｗとピントずれ量の結果をそれぞれ表している。焦点検出系の調整光源と同様な分光感度を有する昼光下の撮影では、無彩色の被写体でＲ／Ｗ＝０となり、ピントずれ量はほぼ０でジャストピントの画像が得られる。赤成分の多い被写体では前ピン（ピントが合っている面が被写体より手前にある状態）に、青成分の多い被写体では後ピン（ピントが合っている面が被写体より奥にある状態）にそれぞれ焦点検出結果が得られる。
【００６４】
昼光下でのピントずれ量とＲ／Ｗの関係は線形関係にあり、Ｒ／Ｗを用いてピントずれ量を補正することが可能である。ピントずれ量をΔＺｄとすると、式（１）で示すようになる。ここで、下記のα及び後述のβ、γは光源検出結果の線形補間法による補正直線の傾きである。
【００６５】
ΔＺｄ＝α×（Ｒ／Ｗ）      （１）
撮影光源が蛍光灯である場合は、ピントずれ量は５０１で示される結果となる。蛍光灯は昼光に対して７００ｎｍ以上の近赤外光が含まれていないため、全体的に後ピンにグラフがシフトし、かつ傾きが少なくなるような結果となる。
【００６６】
昼光下での撮影と同様に、蛍光灯下のピントずれ量とＲ／Ｗの関係は線形関係にあり、Ｒ／Ｗを用いて、ピントずれ量を補正することが可能である。ピントずれ量をΔＺｆとすると、式（２）で示すようになる。
【００６７】
ΔＺｆ＝β×（Ｒ／Ｗ）＋ｂ     （２）
撮影光源がタングステンである場合は、ピントずれ量は５０３で示される結果となる。タングステン光は昼光に対して色温度の低い光源であるため、分光感度特性は赤成分の割合が高く、全体的に前ピンにグラフがシフトし、かつＲ／Ｗは大きくなる。即ち、赤成分が多いという結果となる。
【００６８】
昼光下での撮影と同様に、タングステン光のピントずれ量とＲ／Ｗの関係は線形関係にあり、Ｒ／Ｗを用いてピントずれ量を補正することが可能である。ピントずれ量をΔＺｔとすると、式（３）で示すようになる。
【００６９】
ΔＺｔ＝γ×（Ｒ／Ｗ）＋ｃ     （３）
ただし、同一のＲ／Ｗ比に対して昼光と蛍光灯とタングステン光ではピントずれ量が異なる。そのため、どの光源下でも良好なピントずれ量の補正を行う場合には、Ｒ／Ｗ比の他に、昼光及び蛍光灯下及びタングステン光での撮影であるか否かを判別し、それぞれの光源下での適正な補正を行う必要がある。
【００７０】
図６は、光源の種類と光源の色温度の関係を示す図である。
【００７１】
図６において、光源の種類（太陽光、日陰、曇り、白熱電球、白色蛍光灯）に応じて光源は異なる色温度（Ｋ）を有している。デジタルカメラにおいては、被写体を照明している光源の色温度によって被写体からの反射光のバランスが異なるため、補正なしでは被写体の色を忠実に再現することができない。従って、どのような光源下においても白色が再現されるようにホワイトバランスと呼ばれる補正が行われる。
【００７２】
通常、オートホワイトバランスと称し、自動的に光源の種類を判別して補正する機能がデジタルカメラに搭載されている。しかしながら、被写体に白色が含まれない場合には光源の判別が容易にできない場合が存在する。そのため、デジタルカメラには、使用者が光源の種類をメニューから選択するプリセットホワイトバランス機能や、光源の色温度等を直接指定できるマニュアルホワイトバランス機能が搭載されることが一般的である。
【００７３】
上記図１の詳細説明では省略したが、本実施形態のデジタルカメラにおいても、オートホワイトバランスの他にプリセット及びマニュアルのホワイトバランスの設定が可能である。即ち、本実施形態では、撮影画像からホワイトバランスデータを自動的に抽出するオートモード、光源の種類あるいは光源の色温度を指定することでホワイトバランスを設定するマニュアル設定モード、の中から任意のモードを選択可能である。オート及びマニュアルのホワイトバランスの設定はシステムコントローラ１２０で行われる。
【００７４】
図７は、焦点検出動作を示すフローチャートである。
【００７５】
図７において、まず、デジタルカメラの使用者によるＡＦモード選択ボタン１３４の操作によりＡＦ動作要求が発行されると、システムコントローラ１２０はＡＦ動作プログラムの実行を開始する（ステップＳ７００）。次に、システムコントローラ１２０は撮影レンズユニット２００と通信を行い、測距及び測光に必要な、焦点距離、開放絞り値、最小絞り値、レンズ駆動敏感度情報、色収差情報（色収差量）等の撮影レンズ２０１の情報を取得する（ステップＳ７０１）。次に、システムコントローラ１２０は測距動作のサブルーチンを実行する（ステップＳ７０２）。
【００７６】
次に、システムコントローラ１２０は測距動作が不能であるか否かを判定する（ステップＳ７０３）。測距不能の場合は、システムコントローラ１２０はＡＦ動作を終了する。測距不能でない場合は、システムコントローラ１２０は光源検出動作のサブルーチンを実行する（ステップＳ７０４）。次に、システムコントローラ１２０は測距結果及び光源検出結果を基にレンズ駆動パルス数ＬＰ（レンズ駆動量）を算出し（ステップＳ７０５）、算出したレンズ駆動パルス数ＬＰだけ撮影レンズ２０１を駆動する（ステップＳ７０６）。
【００７７】
次に、システムコントローラ１２０は合焦しているか否かを確認する（ステップＳ７０７）。合焦していない場合は、システムコントローラ１２０はステップＳ７０２に戻って再度ＡＦ動作を行う。合焦している場合は、システムコントローラ１２０はＡＦ動作を終了する。以上がＡＦ動作の全体的な動きである。
【００７８】
図８は、図７の測距動作の詳細を示すフローチャート（サブルーチン）である。
【００７９】
図８において、まず、システムコントローラ１２０は測距動作（焦点検出）を開始する（ステップＳ８０１）。次に、システムコントローラ１２０は入射光に基づきフォトダイオードに信号電荷を蓄積する焦点検出センサ（不図示）の蓄積動作を開始させる（ステップＳ８０２）。システムコントローラ１２０は焦点検出センサの端子をモニタし、フォトダイオードの出力が所定電圧に達すると出力される蓄積動作終了信号をチェックすることで、蓄積動作が終了したか否かを判定する（ステップＳ８０３）。
【００８０】
蓄積動作が終了している場合は、システムコントローラ１２０は蓄積時間をＥＥＰＲＯＭ１２２に記憶し（ステップＳ８０４）、ステップＳ８０７に進む。蓄積動作が終了していない場合は、システムコントローラ１２０は蓄積動作の開始と同時に計時を開始させたタイマ（不図示）の時間をチェックし、所定時間が経過したか否かを判定する（ステップＳ８０５）。
【００８１】
所定時間が経過していない場合は、ステップＳ８０３に戻り、蓄積動作が終了したか否かを再度判定する。所定時間が経過している場合は、システムコントローラ１２０は焦点検出センサに信号を送信することで強制的に焦点検出センサの蓄積動作を終了させる（ステップＳ８０６）。
【００８２】
次に、システムコントローラ１２０は焦点検出センサの蓄積動作がＡＧＣ（Auto Gain Control）回路によって終了あるいは該システムコントローラ１２０による強制蓄積終了によって終了した場合、次の読み出し動作を行う。ＡＦセンサユニット１０４から像信号を読み出す（ステップＳ８０７）。次に、システムコントローラ１２０はＥＥＰＲＯＭ１２２に記憶されている調整データや蓄積時間等を使って、読み出した像信号に補正を実行する（ステップＳ８０８）。
【００８３】
次に、システムコントローラ１２０はＥＥＰＲＯＭ１２２に記憶した蓄積時間及び補正された像信号出力を基に、焦点検出センサのフォトダイオードの信号量及び像信号の最大値と最小値の差分を算出する。更に、算出された信号量及びコントラスト値を基に測距可能か否かの一次判定を行う（ステップＳ８０９）。
【００８４】
測距可能でない場合は、測距ＮＧとなり（ステップＳ８１３）、本サブルーチンを終了する。測距可能な場合は、システムコントローラ１２０は像信号出力から公知の相関演算を行いデフォーカス量とデフォーカス方向（前ピンが後ピンか）を検出する（ステップＳ８１０）。なお、デフォーカス量は、上記Ｒ／Ｗ比と、ホワイトバランスの設定と、撮影レンズ２０１の色収差情報（色収差量）を基に補正される。補正については後述する。
【００８５】
次に、システムコントローラ１２０はステップＳ８１０で得られた測距データと２つの視野の像の一致度などから、信頼性を判定する（ステップＳ８１１）。信頼性ありと判定した場合は、システムコントローラ１２０は得られたステップＳ８１０で得られた相関演算結果とレンズ情報を基にデフォーカス量Ｚを算出し（ステップＳ８１２）、本サブルーチンを終了する。信頼性なしと判定した場合は、測距ＮＧと判定し（ステップＳ８１３）、本サブルーチンを終了する。
【００８６】
図９は、図７の光源検出動作の詳細を示すフローチャート（サブルーチン）である。なお、説明を簡略化するために光源種類や色温度の設定は３種類（太陽光、白熱電球、白色蛍光灯、5000K以上、3000K以下、3000K以上4000K以下）に限定して説明する。
【００８７】
図９において、まず、光源検出動作要求が発行されると、システムコントローラ１２０は光源検出動作プログラムを実行し、光源検出動作を開始する（ステップＳ９００）。次に、システムコントローラ１２０は測光回路１０７内のセンサを構成する第１の光電変換部のＰＮ接合部に流れる光電流Ｉｗに対応する出力電圧Ｖｗを取得する（ステップＳ９０１）。更に、システムコントローラ１２０は測光回路１０７内のセンサを構成する第２の光電変換部のＰＮ接合部に流れる光電流Ｉｒに対応する出力電圧Ｖｒを取得する（ステップＳ９０２）。
【００８８】
次に、システムコントローラ１２０は取得した出力電圧Ｖｗと出力電圧Ｖｒの比であるＲ／Ｗ比を算出する（ステップＳ９０３）。次に、システムコントローラ１２０はホワイトバランス（ＷＢ）の設定がオートであるか否かを確認する（ステップＳ９０４）。
【００８９】
ホワイトバランスの設定がオートである場合は、後述のステップＳ９１１に進む。ホワイトバランスの設定がオートでない場合は、システムコントローラ１２０は光源種類／色温度がプリセット設定で太陽光あるいはマニュアル設定で５０００Ｋ以上に設定されているか否かを判定する（ステップＳ９０５）。光源種類／色温度がプリセット設定で太陽光あるいはマニュアル設定で５０００Ｋ以上に設定されている場合は、ステップＳ９０８に進み、そうでない場合は、ステップＳ９０６に進む。
【００９０】
次に、システムコントローラ１２０は光源種類／色温度がプリセット設定で白熱電球（タングステン灯）あるいはマニュアル設定で３０００Ｋ以下に設定されているか否かを判定する（ステップＳ９０６）。光源種類／色温度がプリセット設定で白熱電球（タングステン灯）あるいはマニュアル設定で３０００Ｋ以下に設定されている場合は、ステップＳ９０９に進み、そうでない場合は、ステップＳ９０７に進む。
【００９１】
次に、システムコントローラ１２０は光源種類／色温度がプリセット設定で白色蛍光灯あるいはマニュアル設定で３０００Ｋ以上４０００Ｋ以下に設定されているか否かを判定する（ステップＳ９０７）。光源種類／色温度がプリセット設定で白色蛍光灯あるいはマニュアル設定で３０００Ｋ以上４０００Ｋ以下に設定されている場合は、ステップＳ９１０に進む。
【００９２】
ステップＳ９０８、ステップＳ９０９、ステップＳ９１０、ステップＳ９１１では、Ｒ／Ｗの算出結果とホワイトバランスの設定に応じて、焦点検出結果の補正を行うためのデフォーカス量の演算を実行し、その結果を変数ΔＺとしてＥＥＰＲＯＭ１２２に格納する。
【００９３】
ステップＳ９０８では上記式（１）を用いてΔＺｄ、ステップＳ９０９では上記式（３）を用いてΔＺｔ、ステップＳ９１０では上記式（２）を用いてΔＺｄｆをそれぞれ求めることで、補正演算を実行している。光源検出結果の線形補間法による補正直線の傾きα、β、γ及び切片ｂ、ｃは、撮影レンズ２０１から取得された色収差情報及び各種光源下での被写体色のＲ／Ｗの設計値あるいは実験値を基にそれぞれ決定される。具体的な方法は公知であるので説明を省略する。
【００９４】
上記ステップＳ９０４でホワイトバランス設定がオートの場合には、デジタル一眼レフカメラでは光学ファインダを使って撮影する際に撮影された画像からホワイトバランスをとる。そのため、事前にホワイトバランスの結果を知ることができない。このような場合には補正量を少なめにして、どの光源下でもある程度の効果が得られるような補正量に設定すればよい。例えば式（４）を用いてΔＺａを求め、その結果を変数ΔＺとしてＤＲＡＭ１２１に格納する（ステップＳ９１１）。
【００９５】
ΔＺａ＝δ×（Ｒ／Ｗ）＋ｄ       （４）
ここで、β＜δ＜α、ｄ＜ｂ等のように設定すれば中庸な補正が可能である。また、上記の係数設定に限定されるものではなく、撮影頻度の高い、昼光と同様な補正にすることも考えられる。以上、変数ΔＺの算出を完了して、本サブルーチンを終了する。
【００９６】
図１０は、図７のレンズ駆動量算出の詳細を示すフローチャート（サブルーチン）である。
【００９７】
図１０において、ＡＦ動作及び光源検出動作が完了すると最終的なレンズ駆動量算出サブルーチンが実行される（ステップＳ１０００）。まず、システムコントローラ１２０は焦点検出回路１０５により撮影レンズ２０１を透過した光束を基に検出されたデフォーカス量Ｚから、光源検出結果より検出されたデフォーカス補正量ΔＺを減算する。更に、減算により求めた最終的なデフォーカス量を新たに変数Ｚに格納する（ステップＳ１００１）。変数Ｚは、光源の種類及び被写体色も加味して算出されたデフォーカス量である。
【００９８】
即ち、測光回路１０７内のセンサから出力される出力電圧Ｖｒと出力電圧Ｖｗの比であるＲ／Ｗ比（第１の測光手段と第２の測光手段の出力比）と、ホワイトバランスの設定と、撮影レンズ２０１の色収差量を基に、デフォーカス量を補正する。この場合、Ｒ／Ｗ比と、撮影レンズ２０１の色収差情報を基に、線形補間法によりデフォーカス補正量を算出し、該デフォーカス補正量に従ってデフォーカス量を補正する。なお、システムコントローラ１２０はホワイトバランスを設定する設定手段とデフォーカス量を補正する補正手段に相当する。
【００９９】
次に、システムコントローラ１２０は撮影レンズ２０１が有するレンズ駆動敏感度情報Ｂと補正したデフォーカス量Ｚを用いて、撮影レンズ２０１を駆動するためのレンズ駆動パルス数ＬＰを算出し（ステップＳ１００２）、本処理を終了する。
【０１００】
上述したように本実施形態によれば、ホワイトバランス設定でプリセットあるいはマニュアルで光源と色温度が指定された場合、光源検出結果の線形補間法による補正直線の傾きと切片を変える。これにより、各種光源下でそれぞれ適切な焦点検出の補正量を得ることができるため、ピント精度の向上が可能になる。
【０１０１】
即ち、測光回路１０７内のセンサを構成する第１の光電変換部の出力電圧Ｖｒと第２の光電変換部の出力電圧Ｖｗとの比であるＲ／Ｗ比と、ホワイトバランスの設定と、撮影レンズ２０１の色収差情報を基に、デフォーカス量を補正する。これにより、光源及び被写体色による焦点検出ずれの補正を可能とした撮像装置を提供することができる。
【０１０２】
〔第２の実施形態〕
本発明の第２の実施形態は、上記第１の実施形態に対して、後述の図１１で説明する点において相違する。本実施形態のその他の要素は、上記第１の実施形態（図１）の対応するものと同一なので説明を省略する。
【０１０３】
デジタルカメラにおいてホワイトバランス設定をオートにして光学ファインダを使って撮影する場合でも、例えば連射撮影が実行された場合には、次の補正が可能である。１コマ撮影後に得られたホワイトバランス結果から、２コマ目からオートホワイトバランスの結果を反映させて、適宜、光源検出結果の線形補間法による補正直線の傾きα、β、γ及び切片ｂ、ｃを使って焦点検出ずれを補正することが可能である。
【０１０４】
また、次のようなデジタルカメラも製品化されている。デジタル一眼レフの機能として普及しつつあるライブビューモードにおいて、ＡＦ動作開始を使用者が指定すると、クイックリターンミラー１０２をいったん撮影待機位置に戻す。更に、ＡＦセンサユニット１０４により焦点検出を行った後、再度クイックリターンミラー１０２を退避させてライブビュー撮影を行う。この場合には、オートホワイトバランス設定であっても、事前にライブビュー撮影で得られたホワイトバランス結果を用いて、光源検出結果の線形補間法による補正直線の傾きα、β、γ及び切片ｂ、ｃを使って焦点検出ずれを補正することが可能である。
【０１０５】
図１１は、本実施形態に係る光源検出動作を示すフローチャートである。
【０１０６】
図１１において、図９と相違する点は、ステップＳ９１３、ステップＳ９１４、ステップＳ９１５を追加した点であり、図９と説明が重複しないように追加部分に関してのみ説明する。ステップＳ９１３では、システムコントローラ１２０はホワイトバランスデータが存在するか否かを確認する。ホワイトバランスデータが存在しない場合は、ステップＳ９１１に進んで、どの光源下でもある程度の効果が得られるような補正量に設定する。ホワイトバランスデータが存在する場合は、システムコントローラ１２０は光源の色温度が５０００Ｋ以上か否かを判定する（ステップＳ９１４）。
【０１０７】
光源の色温度が５０００Ｋ以上の場合は、ステップＳ９０８に進んで、撮影光源が昼光の場合の補正を実行する。光源の色温度が５０００Ｋ以上でない場合は、システムコントローラ１２０は光源の色温度が３０００Ｋ以下か否かを判定する（ステップＳ９１５）。光源の色温度が３０００Ｋ以下の場合は、ステップＳ９０９に進んで、システムコントローラ１２０は撮影光源が白熱電球（タングステン）相当の場合の補正を実行する。光源の色温度が３０００Ｋ以下でない場合は、ステップＳ９１０に進んで、システムコントローラ１２０は撮影光源が白色蛍光灯相当の場合の補正を実行する。
【０１０８】
上述したように本実施形態によれば、ホワイトバランス設定が、オートの場合でも連射撮影やライブビュー撮影等においては、適宜、デフォーカス量ΔＺの補正演算を実行することが可能である。これにより、光源及び被写体色による焦点検出ずれの補正を可能とした撮像装置を提供することができる。
【０１０９】
〔他の実施形態〕
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。本発明のコンピュータ可読のプログラムはデジタルカメラ（撮像装置）上で動作し、上述した実施形態の機能を実現する。
【符号の説明】
【０１１０】
１０４  ＡＦセンサユニット
１０５  焦点検出回路
１０７  測光回路
１２０  システムコントローラ
２０１  撮影レンズ
【図１】
2014137449.tif 000003
【図２】
2014137449.tif 000004
【図３】
2014137449.tif 000005
【図４】
2014137449.tif 000006
【図５】
2014137449.tif 000007
【図６】
2014137449.tif 000008
【図７】
2014137449.tif 000009
【図８】
2014137449.tif 000010
【図９】
2014137449.tif 000011
【図１０】
2014137449.tif 000012
【図１１】
2014137449.tif 000013